【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
座標入力指示具の位置座標を検出する座標入力装置であって、
前記座標入力指示具の第１乃至第３軸で定義される空間における位置座標を算出する算出手段と、
座標出力形態として、少なくとも
算出された座標値をそのまま出力する絶対座標出力形態と
算出された座標値と所定の座標値との差分値を出力する相対座標出力形態とを備え、
前記算出手段によって算出された座標値の前記第１軸の値を所定値と比較する比較手段と、
前記算出手段によって算出された座標値の前記第２軸及び前記第３軸の両者の座標値が所定範囲内であるか否かを判定する判定手段と、
前記算出手段によって算出された座標値を、前記比較手段による比較結果及び前記判定手段による判定結果に基づいて決定された座標出力形態で出力する出力手段と
を備えることを特徴とする座標入力装置。
【請求項２】
前記所定の座標値は、連続的に座標入力が行われている連続入力期間中の最初に有効となる座標値であり、
前記連続入力期間中に最初に有効となって前記算出手段で算出された位置座標を前記所定の座標値として記憶する記憶手段と
を更に備えることを特徴とする請求項１に記載の座標入力装置。
【請求項３】
当該座標入力装置と重ねて配置される表示装置を更に備え、
前記第１軸は前記表示装置の表示領域平面の法線方向、前記第２及び第３軸は該表示装置の表示領域平面を定義する
ことを特徴とする請求項１に記載の座標入力装置。
【請求項４】
前記座標出力形態として、更に、少なくとも前記第２軸の座標値と前記所定座標値との差分座標値を変倍して出力する相対座標処理出力形態を有する
ことを特徴とする請求項１に記載の座標入力装置。
【請求項５】
当該座標入力装置と重ねて配置される表示装置を更に備え、
前記第１軸は前記表示装置の表示領域平面の法線方向、前記第２軸は該表示装置の表示領域平面の水平方向、前記第３軸は前記表示装置の表示領域平面の天地方向に定義されている
ことを特徴とする請求項４に記載の座標入力装置。
【請求項６】
前記相対座標処理出力形態による前記差分座標値の変倍の変倍率は、前記第１軸の座標値に基づいて設定される
ことを特徴とする請求項４に記載の座標入力装置。
【請求項７】
相対座標処理出力形態による前記差分座標値の変倍の変倍率は、前記位置座標に基づいて設定される
ことを特徴とする請求項４に記載の座標入力装置。
【請求項８】
座標入力指示具の位置座標を検出して、その位置座標に基づく情報を表示装置に表示する座標入力装置であって、
前記座標入力指示具の位置座標を算出する算出手段と、
前記算出手段で算出された位置座標が前記表示装置の表示領域内にあるか否かを判定する判定手段と、
前記判定結果に基づいて、前記位置座標あるいは前記位置座標と所定座標との差分座標値を出力するかを決定する決定手段と
を備えることを特徴とする座標入力装置。
【請求項９】
前記表示装置の表示領域を設定する設定手段と
を更に備えることを特徴とする請求項８に記載の座標入力装置。
【請求項１０】
前記設定手段は、前記表示領域の少なくとも３箇所の表示領域隅部の座標値に基づいて、該表示領域を設定する
ことを特徴とする請求項９に記載の座標入力装置。
【請求項１１】
前記座標入力指示具が有する複数のスイッチの動作状態を判定するスイッチ状態判定手段とを更に備え、
前記座標出力制御手段は、前記判定手段の判定結果と前記スイッチ状態判定手段の判定結果に基づいて、前記位置座標あるいは前記位置座標と所定座標との差分座標値を出力する、あるいは前記位置座標の出力を禁止する
ことを特徴とする請求項９に記載の座標入力装置。
【請求項１２】
前記所定座標は、連続的に座標入力が行われている連続入力期間中の最初に有効となる座標値であり、
前記連続入力期間中に最初に有効となって前記算出手段で算出された位置座標を前記所定座標として記憶する記憶手段と
を更に備えることを特徴とする請求項９に記載の座標入力装置。
【請求項１３】
座標入力指示具の位置座標を検出する座標入力装置の制御方法であって、
前記座標入力指示具の第１乃至第３軸で定義される空間における位置座標を算出する算出工程と、
座標出力形態として、少なくとも
算出された座標値をそのまま出力する絶対座標出力形態と、
算出された座標値と所定の座標値との差分座標値を出力する相対座標出力形態とを備え、
前記算出工程によって算出された座標値の前記第１軸の値を所定値と比較する比較工程と、
前記算出工程によって算出された前記第２軸及び前記第３軸の両者の座標値が所定範囲内であるか否かを判定する判定工程と、
前記算出工程によって算出された座標値を、前記比較工程による比較結果及び前記判定工程による判定結果に基づいて決定された座標出力形態で出力する出力工程と
を備えることを特徴とする座標入力装置の制御方法。
【請求項１４】
座標入力指示具の位置座標を検出して、その位置座標に基づく情報を表示装置に表示する座標入力装置の制御方法であって、
前記座標入力指示具の位置座標を算出する算出工程と、
前記算出工程で算出された位置座標が前記表示装置の表示領域内にあるか否かを判定する判定工程と、
前記判定結果に基づいて、前記位置座標あるいは前記位置座標と所定座標との差分座標値を出力するかを決定する決定工程と
を備えることを特徴とする座標入力装置の制御方法。
【請求項１５】
座標入力指示具の位置座標を検出する座標入力装置の制御をコンピュータに機能させるためのプログラムであって、
前記座標入力指示具の第１乃至第３軸で定義される空間における位置座標を算出する算出工程のプログラムコードと、
座標出力形態として、少なくとも
算出された座標値をそのまま出力する絶対座標出力形態と、
算出された座標値と所定の座標値との差分座標値を出力する相対座標出力形態とを備え、
前記算出工程によって算出された座標値の前記第１軸の値と所定値を比較する比較工程のプログラムコードと、
前記算出工程によって算出された前記第２軸及び前記第３軸の両者の座標値が所定範囲内であるか否かを判定する判定工程のプログラムコードと、
前記算出工程によって算出された座標値を、前記比較工程による比較結果及び前記判定工程による判定結果に基づいて決定された座標出力形態で出力する出力工程のプログラムコードと
を備えることを特徴とするプログラム。
【請求項１６】
座標入力指示具の位置座標を検出して、その位置座標に基づく情報を表示装置に表示する座標入力装置の制御をコンピュータに機能させるためのプログラムであって、
前記座標入力指示具の位置座標を算出する算出工程のプログラムコードと、
前記算出工程で算出された位置座標が前記表示装置の表示領域内にあるか否かを判定する判定工程のプログラムコードと、
前記判定結果に基づいて、前記位置座標あるいは前記位置座標と所定座標との差分座標値を出力する座標出力制御工程のプログラムコードと
を備えることを特徴とするプログラム。
【手続補正２】
【補正対象書類名】明細書
【補正対象項目名】００２６
【補正方法】変更
【補正の内容】
【００２６】
【課題を解決するための手段】
上記の目的を達成するための本発明による座標入力装置は以下の構成を備える。即ち、  座標入力指示具の位置座標を検出する座標入力装置であって、
前記座標入力指示具の第１乃至第３軸で定義される空間における位置座標を算出する算出手段と、
座標出力形態として、少なくとも
算出された座標値をそのまま出力する絶対座標出力形態と
算出された座標値と所定の座標値との差分値を出力する相対座標出力形態とを備え、
前記算出手段によって算出された座標値の前記第１軸の値を所定値と比較する比較手段と、
前記算出手段によって算出された座標値の前記第２軸及び前記第３軸の両者の座標値が所定範囲内であるか否かを判定する判定手段と、
前記算出手段によって算出された座標値を、前記比較手段による比較結果及び前記判定手段による判定結果に基づいて決定された座標出力形態で出力する出力手段と
を備える。
【手続補正３】
【補正対象書類名】明細書
【補正対象項目名】００３７
【補正方法】変更
【補正の内容】
【００３７】
上記の目的を達成するための本発明による座標入力装置の制御方法は以下の構成を備える。即ち、
座標入力指示具の位置座標を検出する座標入力装置の制御方法であって、
前記座標入力指示具の第１乃至第３軸で定義される空間における位置座標を算出する算出工程と、
座標出力形態として、少なくとも
算出された座標値をそのまま出力する絶対座標出力形態と、
算出された座標値と所定の座標値との差分座標値を出力する相対座標出力形態とを備え、
前記算出工程によって算出された座標値の前記第１軸の値を所定値と比較する比較工程と、
前記算出工程によって算出された前記第２軸及び前記第３軸の両者の座標値が所定範囲内であるか否かを判定する判定工程と、
前記算出工程によって算出された座標値を、前記比較工程による比較結果及び前記判定工程による判定結果に基づいて決定された座標出力形態で出力する出力工程と
を備える。
【手続補正４】
【補正対象書類名】明細書
【補正対象項目名】００３９
【補正方法】変更
【補正の内容】
【００３９】
上記の目的を達成するための本発明によるプログラムは以下の構成を備える。即ち、
座標入力指示具の位置座標を検出する座標入力装置の制御をコンピュータに機能させるためのプログラムであって、
前記座標入力指示具の第１乃至第３軸で定義される空間における位置座標を算出する算出工程のプログラムコードと、
座標出力形態として、少なくとも
算出された座標値をそのまま出力する絶対座標出力形態と、
算出された座標値と所定の座標値との差分座標値を出力する相対座標出力形態とを備え、
前記算出工程によって算出された座標値の前記第１軸の値と所定値を比較する比較工程のプログラムコードと、
前記算出工程によって算出された前記第２軸及び前記第３軸の両者の座標値が所定範囲内であるか否かを判定する判定工程のプログラムコードと、
前記算出工程によって算出された座標値を、前記比較工程による比較結果及び前記判定工程による判定結果に基づいて決定された座標出力形態で出力する出力工程のプログラムコードと
を備える。